(57)【要約】      （修正有）【課題】電源電線穴位置がわかりやすくなり、確実な電源電線の引き回しができ、壁面または天井面と本体との密着性の良い換気装置を提供する。【解決手段】室内２と室外を連通するように、壁部または天井１に設けられる風洞パイプ３に装着させる形状で内部にファンモータ４が設けられる筒状部５と、前記筒状部５の室内側開口６の外周に半径方向に張り出した略方形状に形成されたフランジ部７と、前記フランジ部７の周辺の裏面側に立ち上がり部８を設けて凹部９を形成し、前記凹部９に収納される形状で、前記ファンモーター４と電気的に接続される電源接続部１０を設けた換気扇本体１２において、電源電線用の切り欠き部１５を設けた電装カバー１１が前記凹部９全体を覆う構成としたことを特徴とする換気装置。【選択図】図１
2008261586.tif 000002
【特許請求の範囲】
【請求項１】
室内と室外を連通するように、壁部または天井に設けられる風洞パイプに装着させる形状で内部にファンモータが設けられる筒状部と、前記筒状部の室内側開口の外周に半径方向に張り出した略方形状に形成されたフランジ部と、前記フランジ部の周辺の裏面側に立ち上がり部を設けて凹部を形成し、前記凹部に収納される形状で、前記ファンモータと電気的に接続される電源接続部を設けた換気扇本体において、電源電線用の切り欠き部を設けた電装カバーが前記凹部全体を覆う構成としたことを特徴とする換気装置。
【請求項２】
電装カバーを換気扇本体から着脱可能に構成した請求項１記載の換気装置。
【請求項３】
電装カバーに爪部、フランジ部に係合孔を設け、爪部の係合により電装カバーと換気扇本体を係合させる構成とした請求項１または２記載の換気装置。
【請求項４】
爪部は角部付近の４箇所に設けた請求項３に記載の換気装置。
【請求項５】
電装カバーに換気扇本体を壁部または天井に固定する第１のねじ穴を設けた請求項の１〜４のいずれかに記載の換気装置。
【請求項６】
フランジ部の角部１箇所に壁部または天井に取り付け用の穴を設けた請求項１〜５のいずれかに記載の換気装置。
【請求項７】
換気扇本体裏面側にねじボスと電装カバーには第２のねじ穴を設けた構成とした請求項１〜６のいずれかに記載の換気装置。
【請求項８】
電装カバーの内面側には電源電線と相対する部分に第１のリブを設けた請求項１〜７のいずれかに記載の換気装置。
【請求項９】
換気扇本体の凹部で前記電装カバーの第１のリブと電源接続部との間には電源電線と相対する第２のリブを設けた請求項１〜８のいずれかに記載の換気装置。
【請求項１０】
電源接続部が一端を支点に電源接続部カバーに回動自在に設けた請求項１〜９のいずれかに記載の換気装置。
【請求項１１】
電装カバーの内面側には電源接続部と相対する部分に第３のリブを設けた請求項１０記載の換気装置。
【請求項１２】
電装カバーと電源接続部カバーは難燃性樹脂により形成したことを特徴とする請求項１〜１１のいずれかに記載の換気装置。
【発明の詳細な説明】
【技術分野】
【０００１】
本発明は、ファンモータと電気的に接続される電源接続部を備えた換気装置に関するものである。
【背景技術】
【０００２】
モータと電気的に接続された電源接続部を備えた換気装置においては、電源電線を電源接続部に被覆を除去して差し込むだけで結線できるものである。従来この種の換気装置の例として本体枠内に電源接続部を設置したものが知られている（例えば特許文献１参照）。
【０００３】
以下その換気装置について図８〜図１０を参照しながら説明する。
【０００４】
図８に示すように、ファンモータ１０１を設けた換気扇本体１０２の室内側に、裏面側に凹部１０３を形成したフランジ部１０４を設け、フランジ部１０４に凹部１０３に収納される形状で、ファンモータ１０１と電気的に接続される電源接続部１０５の一端を回動自在に支持するように、フランジ部１０４に支持ピン１０６を有した一対の支持台１０７を設け、電源接続部１０５の一端には支持ピン１０６の係合部を設け構成している。
【０００５】
換気装置の天井１０８への取り付けを図９及び図１０によって詳述すると、天井１０８に風洞パイプ用穴１０９を開け、風洞パイプ１１０を取り付け、換気扇本体１０２固定用の木枠１１１を設置する。そして、風洞パイプ用穴１０９近傍の工事説明書記載の所定の位置に電源電線用穴１１２を開け、電源電線１１３を引き出す。その後、換気扇本体１０２の電源接続部１０５に電源電線１１３を接続し、換気扇本体１０２を天井に固定する取り付けとしていた。
【特許文献１】特許第３４３００３２号公報（図１）
【発明の開示】
【発明が解決しようとする課題】
【０００６】
このような従来の換気装置では、電源電線用穴１１２位置は、天井１０８の風洞パイプ用穴１０９の中心から定規等で測定するので、位置が特定しずらく、手間がかかっていた。また、施工業者により、電源電線用穴１１２位置が所定の位置とは異なる位置に開けられることがあるため、電源電線１１３の引き回し方法にばらつきがあり、無理な方向からの電源電線１１３の接続をしてしまうことがあった。また、電源接続部１０５を塵埃から保護するための保護カバー（図示せず）を設けることも有るが、保護カバーの取り付けは、取付ネジによって行われ、施工時に保護カバーを取り付け忘れが発生することがあった。また、壁部または天井１０８にフランジ部１０４を当接させていたが、樹脂のそりや天井、壁面の凹凸に対して、フランジ部１０４での当接では密着性を確保することが難しいという課題がある。
【０００７】
本発明は、このような従来の課題を解決するものであり、電源電線穴１１２の位置決めがしやすくなり、確実な電源電線の引き回しができ、保護カバーの付け忘れを防止でき、壁面または天井面と本体との密着性の良い換気装置を提供することを目的とする。
【課題を解決するための手段】
【０００８】
本発明の換気装置は、上記目的を達成するために、室内と室外を連通するように、壁部または天井に設けられる風洞パイプに装着させる形状で内部にファンモータが設けられる筒状部と、前記筒状部の室内側開口の外周に半径方向に張り出した略方形状に形成されたフランジ部と、前記フランジ部の周辺の裏面側に立ち上がり部を設けて凹部を形成し、前記凹部に収納される形状で、前記ファンモータと電気的に接続される電源接続部を設けた換気扇本体において、電源電線用の切り欠き部を設けた電装カバーが前記凹部全体を覆う構成としたものである。
【０００９】
また、他の手段は、電装カバーを換気扇本体から着脱可能に構成したものである。
【００１０】
また、他の手段は、電装カバーに爪部、フランジ部には係合孔を設け、爪部の係合により電装カバーと換気扇本体を係合させる構成としたものである。
【００１１】
また、他の手段は、爪部は角部付近の４箇所に設けたものである。
【００１２】
また、他の手段は、電装カバーに換気扇本体を壁部または天井に固定する第１のねじ穴を設けたものである。
【００１３】
また、他の手段は、フランジ部の角部１箇所に壁部または天井に取り付け用の穴を設けたものである。
【００１４】
また、他の手段は、換気扇本体裏面側にねじボスと電装カバーには第２のねじ穴を設けたものである。
【００１５】
また、他の手段は、電装カバーの内面側には電源電線と相対する部分に第１のリブを設けたものである。
【００１６】
また、他の手段は、換気扇本体の凹部で前記電装カバーの第１のリブと電源接続部との間には電源電線と相対する第２のリブを設けたものである。
【００１７】
また、他の手段は、電源接続部が一端を支点に電源接続部カバーに回動自在に設けたものである。
【００１８】
また、他の手段は、電装カバーの内面側には電源接続部と相対する部分に第３のリブを設けたものである。
【００１９】
また、他の手段は、電装カバーと電源接続部カバーは難燃性樹脂により形成したものである。
【発明の効果】
【００２０】
本発明によれば、室内と室外を連通するように、壁部または天井に設けられる風洞パイプに装着させる形状で内部にファンモータが設けられる筒状部と、前記筒状部の室内側開口の外周に半径方向に張り出した略方形状に形成されたフランジ部と、前記フランジ部の周辺の裏面側に立ち上がり部を設けて凹部を形成し、前記凹部に収納される形状で、前記ファンモータと電気的に接続される電源接続部を設けた換気扇本体において、電源電線用の切欠きを設けた電装カバーが前記凹部全体を覆う構成としたことにより、壁部または天井との密着性がよくなることで、壁面裏や天井裏への湿気侵入を防止できる。また、電源接続部への応力がかかることを防止できる。さらに、電源接続部への塵埃付着を防止できるという効果のある換気装置を提供することができる。
【００２１】
また、電装カバーを換気扇本体から着脱可能に構成したことにより、換気扇本体を壁面または天井への取り付け作業を容易にすることができるという効果のある換気装置を提供することができる。
【００２２】
また、電装カバーに爪部、フランジ部に係合孔を設け、爪部の係合により電装カバーと換気扇本体を係合させる構成としたことにより、容易に電装カバーを換気扇本体取り付けできるため、取り付け作業が簡単にできるという効果のある換気装置を提供することができる。
【００２３】
また、爪部は角部付近の４箇所に設けたことにより、換気扇本体と電装カバーが確実に係合されるため、換気扇本体が電装カバーから外れることを防止できるという効果のある換気装置を提供することができる。
【００２４】
また、電装カバーに換気扇本体を壁部または天井に固定する第１のねじ穴を設けたことにより、電装カバーの付け忘れを防止して確実に換気扇本体を取り付けることができるという効果のある換気装置を提供することができる。
【００２５】
また、フランジ部の角部１箇所に壁部または天井に取り付け用の穴を設けたことにより、爪の係合とともにねじによる共締めにより確実に壁部または天井に換気装置本体を取り付けることができるという効果のある換気装置を提供することができる。            
【００２６】
また、換気扇本体の凹部にねじボスと電装カバーには第２のねじ穴を設けた構成としたことにより、電装カバーから換気扇本体が外れるのを防止できるという効果のある換気装置を提供することができる。
【００２７】
また、電装カバーの内面側には電源電線と相対する部分に第１のリブを設けたことにより、電源電線に外部負荷がかかった時にでも、電源接続部に応力がかからないという効果のある    換気装置を提供することができる。
【００２８】
また、換気扇本体の凹部で前記電装カバーの第１のリブと電源接続部との間には電源電線と相対する第２のリブを設けたことにより、電源電線の外部負荷がかかった時にでも、電源接続部に応力がかからないという効果のある換気装置を提供することができる。
【００２９】
また、電源接続部が一端を支点に電源接続部カバーに回動自在に設けたことにより、電源電線接続作業が容易になるという効果のある換気装置を提供することができる。
【００３０】
また、電装カバーの内面側には電源接続部と相対する部分に第３のリブを設けたことにより、施工状態によらず、確実に電源接続部を固定でき、確実な施工をすることができるという効果のある換気装置を提供することができる。
【００３１】
また、電装カバーと電源接続部カバーは難燃性樹脂により形成したことにより、安全性を高い換気装置を提供することができる。
【発明を実施するための最良の形態】
【００３２】
本発明の請求項１記載の換気装置は、室内と室外を連通するように、壁部または天井に設けられる風洞パイプに装着させる形状で内部にファンモータが設けられる筒状部と、前記筒状部の室内側開口の外周に半径方向に張り出した略方形状に形成されたフランジ部と、前記フランジ部の周辺の裏面側に立ち上がり部を設けて凹部を形成し、前記凹部に収納される形状で、前記ファンモータと電気的に接続される電源接続部を設けた換気扇本体において、電源電線用の切欠きを設けた電装カバーが前記凹部全体を覆う構成としたことを特徴としたものであり、電装カバーが壁部または天井に面接触して、壁部または天井へ密着性を高めて取り付けることができる。また、電源電線用穴位置が切り欠き部で決められるため、電源電線の引き回し経路が決められ、電源接続部への電源電線の接続が一定方向から挿入されることとなる。さらに、電源接続部を電装カバーで覆うことができるため、電源接続部への塵埃付着を防止できるという作用を有する。
【００３３】
また、電装カバーを換気扇本体から着脱可能に構成としたものであり、電装カバーを換気装置本体から取り外して、壁部、または天井に当てることにより、電源用電線穴位置及びねじ取り付け位置を容易に決めることができるという作用を有する。                
【００３４】
また、電装カバーに爪部、フランジ部に係合孔を設け、爪部をたわませることにより電装カバーと換気扇本体を係合させる構成としたものであり、電装カバーを換気扇本体に取り付ける際に、爪がたわみながら挿入されるため、軽い挿入力で係合されるという作用を有する。
【００３５】
また、爪部は角部付近の４箇所に設けたものであり、樹脂のそりの影響の少ない角部付近で係合されることにより、成形条件に左右されず、確実に爪が係合されるという作用を有する。
【００３６】
また、電装カバーに換気扇本体を壁部または天井に固定する第１のねじ穴を設けたものであり、電装カバーが付け忘れることなく、確実に電装カバーを装着した状態で換気装置本体を取り付けることができるという作用を有する。
【００３７】
また、フランジ部の角部１箇所に壁部または天井に取り付け用の穴を設けたものであり、電装カバーと換気装置本体を共締めすることにより、換気扇本体と電装カバーを機械的に固定できるという作用を有する。
【００３８】
また、換気扇本体の凹部にねじボスと電装カバーには第２のねじ穴を設けた構成としたものであり、ねじ止めすることにより、電装カバーと換気装置本体を機械的に確実に固定できるという作用を有する。
【００３９】
また、電装カバーの内面側には電源電線と相対する部分に第１のリブを設けたものであり、電装カバーを換気装置本体に取り付けた際に電源電線をリブにより抑えることができるという作用を有する。
【００４０】
また、換気扇本体の凹部で前記電装カバーの第１のリブと電源接続部との間には電源電線と相対する第２のリブを設けたものであり、電装カバーを換気装置本体に取り付けた際に電源電線をリブにより抑えることができるという作用を有する。
【００４１】
また、電源接続部が一端を支点に電源接続部カバーに回動自在に設けたものであり、電源接続部への電源電線の挿入作業が容易になるという作用を有する。
【００４２】
また、電装カバーの内面側には電源接続部と相対する部分に第３のリブを設けたものであり、施工状態によらず、確実に電源接続部を固定でき、確実な施工をすることができるという作用を有する。
【００４３】
また、電装カバーと電源接続部カバーは難燃性樹脂により形成したことものであり、安全性を高い換気装置を提供することができるという作用を有する。
【００４４】
以下、本発明の実施の形態について、図１〜図７を参照しながら説明する。
【００４５】
（実施の形態１）
図１〜図３に示すように、天井１に埋設した室内２と室外を連通するように、風洞パイプ３に装着される形状で、内部にファンモータ４が設けられる筒状部５と、前記筒状部５の室内側開口６の外周に半径方向に張り出した略方形状に形成されたフランジ部７と、前記フランジ部７の周辺の裏面側に立ち上がり部８を設けて凹部９を形成し、前記凹部９に収納される形状で、前記ファンモータ４と電気的に接続される電源接続部１０を設け、電源電線用の切り欠き部１５を設けた電装カバー１１を着脱自在に構成して前記凹部９全体を覆うように設けた換気扇本体１２を天井１に取り付け、この換気扇本体１２に着脱自在に設けられる風路を形成する前面パネル１３を設けている。
【００４６】
また、前記電装カバー１１は、角部付近の４箇所に爪部１９を設け、この爪部１９に位置を合わせて前記フランジ部７に係合穴２０設けている。
【００４７】
また、前記電装カバー１１には、前記換気扇本体１２を天井１に取り付けるための第１のねじ穴１８を設けられており、前記フランジ部７には前記第１のねじ穴１８に相対する位置は前記第１のねじ穴１８と共締めにならないようにも穴形状を設けている。ただし、前記フランジ部７の角部少なくとも１箇所には穴２５が設けられており、それに相対する第１のねじ穴１８と共締めできるようになっている。
【００４８】
また、ねじ止めにより電装カバー１１と換気扇本体１２を確実に固定するために、前記凹部９にはねじボス２３、電装カバー１１には第２のねじ穴２４を設けている。
【００４９】
電装カバー１１の内面側には電源電線１７と相対し押圧する位置に第１のリブ２１が設けられ、同様に前記第１のリブ２１と電源接続部１０の間の凹部９にも第２のリブ２２が設けらている。このリブ間隔は狭すぎると電源電線１７が曲がらないため、約３ｃｍ以上の間隔を持たせて設けている。
【００５０】
上記構成において、換気装置の設置方法について以下に説明する。
【００５１】
図４〜図５に示すように、まず、天井１に風洞パイプ用穴１４を開け、風洞パイプ３を埋設する。
【００５２】
次に、着脱自在に設けた電装カバー１１を風洞パイプ用穴１４に合わせて、電装カバー１１の切り欠き部１５に合わせて目印をつけ、電源電線穴１６を開け、電源電線１７を取り出し、電源電線１７を換気扇本体１２の凹部９に収納されている電源接続部１０に差し込む。このとき、電装カバー１１により、電源電線穴１６を容易に位置決めできる。また、電装カバー１１の向きをあわせながら、電装カバー１１に設けられた第１のねじ穴１８を使い、ねじ位置も印することで、換気装置の位置を壁面と平行して取付けられることとなる。
【００５３】
電装カバー１１は、この電装カバー１１に設けた爪部１９をたわませてフランジ部７側の係合孔２０に係合させて、換気扇本体１２へ取り付けることとなる。
【００５４】
さらに、電装カバー１１は、第２のねじ穴２４と凹部９のねじボス２３をねじ止めして換気扇本体１２へ確実に固定させることとなる。
【００５５】
また、電装カバー１１と凹部９に交互の配置されたリブによって、電装カバー１１が換気扇本体１２へ取り付けられたときに電源電線１７はリブの押圧により、確実に換気扇本体１２内に固定されることとなる。
【００５６】
そして、電源電線１７を電源電線穴１６に戻しながら、換気扇本体１２を天井１に印をつけたねじ位置に合わせてねじ止めして、電装カバー１１を天井１に面接触さながら、天井１へ密着させて取り付けることとなる。また、穴２５が設けられているため、電装カバー１１と換気扇本体１２が共締めできるようになっており、換気扇本体１２と電装カバー１１のねじ止めが忘れられても、換気扇本体１２と電装カバー１１を確実に固定できるようになっている。
【００５７】
このように本発明の実施の形態１の換気装置によれば、室内２と室外を連通するように、壁部または天井１に設けられる風洞パイプ３に装着させる形状で内部にファンモータ４が設けられる筒状部５と、前記筒状部５の室内側開口６の外周に半径方向に張り出した略方形状に形成されたフランジ部７と、前記フランジ部７の周辺の裏面側に立ち上がり部８を設けて凹部９を形成し、前記凹部９に収納される形状で、前記ファンモータ４と電気的に接続される電源接続部１０を設け、、電源電線１７用の切り欠き部１５を設けた電装カバー１１が前記凹部９全体を覆う構成としたので、天井１との密着性が高くなり、壁面裏や天井裏への湿気侵入を防止できる。また、電源電線用穴１６の位置が決まるので、電源電線１７の引き回しが安定し、無理な引き回しによる電源接続部１０への応力がかかることを防止でき、電源電線１７の接続が一定方向から挿入されることとなる。さらに、電源接続部１０への塵埃付着を防止できることとなる。
【００５８】
また、電装カバー１１を換気扇本体１２から着脱可能に構成したので、電装カバー１１を換気扇本体１２から取り外して、天井１に当てることにより、電源電線穴１６の位置及びねじ取付け位置を容易に決めることができので、換気扇本体１２の取付け作業が容易にすることができ、電源電線１７の引き回しが安定し、そして、換気扇本体１２取付け位置が壁面に対して角度がずれたりすることを防止できる。
【００５９】
また、電装カバー１１に爪部１９、フランジ部７に係合孔２０を設け、電装カバー１１と換気扇本体１２を係合させたことにより、爪部１９のたわみを利用し、軽い挿入力で取付けることができるため、電装カバー１１の換気扇本体１２への取付け作業が簡単にできることとなる。
【００６０】
また、爪部１９は角部付近の４箇所に設けたので、樹脂のそりの影響の少ない角部付近に設けられているため、成形条件やそりの影響に左右されず、確実に爪部１９が係合されることとなる。
【００６１】
電装カバー１１に換気扇本体１２を壁部または天井１に固定する第１のねじ穴１８を設けたので、電装カバー１１を換気扇本体１２に取り付けていないと、換気扇本体１２が取付けられないので、電装カバー１１の付け忘れや電源接続部１０への塵埃付着を防止できることとなる。
【００６２】
また、フランジ部７の角部１箇所に壁部または天井１に取り付け用の穴２５を設けたので、電装カバー１１と換気扇本体１２を共締でき、換気扇本体１２と電装カバー１１を確実に固定できることとなる。
【００６３】
また、換気扇本体１２の凹部９にねじボス２３と電装カバー１１には第２のねじ穴２４を設けたので、電装カバー１１と換気扇本体１２を機械的に確実に固定でき、万が一爪部１９が割れた場合など、換気扇本体１２が電装カバー１１から外れるのを確実に防止できることとなり、安全性が一層高められることとなる。
【００６４】
また、電装カバー１１の内面側には電源電線１７と相対する部分に第１のリブ２１を設けたので、電装カバー１１を換気扇本体１２に取り付けた際に電源電線１７を第１のリブ２１により抑えることができ、電源電線１７の外部負荷がかかった時にでも、電源接続部１０に応力がかかることを防止できることとなる。
【００６５】
また、換気扇本体１２の凹部９で前記電装カバー１１の第１のリブ２１と電源接続部１０との間には電源電線１７と相対する第２のリブ２２を設けたので、電源電線１７をリブ２２により抑えることができ、第１のリブ２１と合わせてより確実に電源電線１７の外部負荷がかかった時にでも、電源接続部１０に応力がかかることを防止できることとなる。
【００６６】
（実施の形態２）
図６〜図７に示すように、本発明の実施の形態２の換気装置によれば、電源接続部１０の１端を回動自在に支持するように、電源接続部１０に支持ピン２６を設け、支持ピン２６を支点に電源接続部カバー２７に設けた穴２８に支持ピン２６を嵌めこみ、支持ピン２６を支点に回動する構成として、電装カバー１１には、前記電源接続部１０と相対する部分に電源接続部に当接する第３のリブ２９を設けている。さらに、電装カバー１１及び電源接続部カバー２７は難燃性樹脂により形成されている。
【００６７】
上記構成において、電源電線１７を接続する時には電源接続部１０の支持ピン２６を支点に回動させ、電源電線１７を接続させる。接続後は電源接続カバー２７に戻して、電装カバー１１を取付ける。
【００６８】
そして、第３のリブ２９は、電源電線１７を電源接続部１０に接続後、電源接続部１０が電源接続カバー２７に戻っていない場合に、電装カバー１１を換気扇本体１２に取り付けたときの押圧力により、確実に電源接続カバー２７の所定の位置に戻ることとなる。
【００６９】
このように本発明の実施の形態２の換気装置によれば、電源接続部１０が一端を支点に電源接続部カバー２７に回動自在に設けたので、電源接続部１０を回動起立して電源電線１７を接続でき、電源接続作業がより容易になる。特に高所取付用の換気装置の施工においては、任意の角度に回動起立させ作業できることは、施工性、安全性という観点からも非常に有益である。
【００７０】
また、電装カバー１１の内面側には電源接続部１０と相対する部分に第３のリブ２９を設けたので、電源接続部１０の回動起立を戻さない状態で電装カバー１１を取付けたとき、第３のリブ２９が電源接続部１０を押圧し、電源接続部１０を正規の位置に戻されるため、施工作業の状態によらず、確実に電源接続部１０を固定することができ、電源接続部１０に応力がかかることなく、確実な施工をすることができる。
【００７１】
また、電装カバー１１と電源接続部カバー２７は難燃性樹脂により形成したので、安全性を高い換気装置を提供することができることとなる。
【産業上の利用可能性】
【００７２】
本発明に関わる換気装置は、電源用電線接続が確実に引き回すことができ、施工性も容易になるという効果を奏し、壁や天井に取付けられ、ファンモータと電源接続子を有した換気装置等に有用である。
【図面の簡単な説明】
【００７３】
【図１】本発明の実施の形態１における換気装置の天井への取付状態を示す断面図
【図２】同換気装置の電装カバーを天井に当てた状態を示す正面図
【図３】同換気装置の電装カバーと前面パネルを分離した状態を示す斜視図
【図４】同換気装置の電源用電線の接続状態を示す断面図
【図５】同換気装置の電装カバーを分離した裏面側斜視図
【図６】本発明の実施の形態２における換気装置の斜視図
【図７】同換気装置の電源用電線の接続状態を示す断面図
【図８】従来の換気装置の裏面側斜視図
【図９】従来の換気装置の取付け天井の状態を示す正面図
【図１０】従来の換気装置の電源用電線の接続状態を示す断面図
【符号の説明】
【００７４】
１  ・・天井
２  ・・室内
３  ・・風洞パイプ
４  ・・ファンモータ
５  ・・筒状部
６  ・・室内側開口
７  ・・フランジ部
８  ・・立ち上がり部
９  ・・凹部
１０・・電源接続部
１１・・電装カバー
１２・・換気扇本体
１５・・切り欠き部
１７・・電源電線
１８・・第１のねじ穴
１９・・爪部
２０・・係合孔
２１・・第１のリブ
２２・・第２のリブ
２３・・ねじボス
２４・・第２のねじ穴
２５・・穴
２７・・電源接続部カバー
２９・・第３のリブ
【図１】
2008261586.tif 000003
【図２】
2008261586.tif 000004
【図３】
2008261586.tif 000005
【図４】
2008261586.tif 000006
【図５】
2008261586.tif 000007
【図６】
2008261586.tif 000008
【図７】
2008261586.tif 000009
【図８】
2008261586.tif 000010
【図９】
2008261586.tif 000011
【図１０】
2008261586.tif 000012